(57)【要約】【課題】剥離シートが単数で、装着作業も容易でありながら、ズレ止め部の誤着を防止できるパッドタイプ吸収性物品を提供する。【解決手段】上記課題は、裏面における前後方向中間領域Ｃ１及びその前後両側の領域Ｆ１，Ｂ１に設けられたズレ止め部３０と、このズレ止め部３０の全体をカバーする単一の剥離シート３１とを備え、剥離シート３１は、前後方向中間領域Ｃ１のズレ止め部３０を覆う中間剥離部３１ｃと、前後両側の領域Ｆ１，Ｂ１のズレ止め部３０をそれぞれ覆う前側剥離部３１ｆ及び後側剥離部３１ｂとを有し、剥離シート３１における前側剥離部３１ｆ及び後側剥離部３１ｂの間の前後方向長さが、前側剥離部３１ｆ及び後側剥離部３１ｂの間の前後方向間隔よりも長く、剥離シート３１における前側剥離部３１ｆ及び後側剥離部３１ｂを剥離せずに、中間剥離部３１ｃを剥離して、前側剥離部３１ｆ及び後側剥離部３１ｂの間の部分を物品２００の表側に出しうる構成により解決される。【選択図】図７
2014193206.tif 000002
【特許請求の範囲】
【請求項１】
裏面における前後方向中間領域及びその前後両側の領域に設けられたズレ止め部と、
このズレ止め部の全体をカバーする単一の剥離シートと、
を備えたパッドタイプ吸収性物品において、
前記剥離シートは、前記前後方向中間領域のズレ止め部を覆う中間剥離部と、前記前後両側の領域のズレ止め部をそれぞれ覆う前側剥離部及び後側剥離部と、を有するとともに、
前記剥離シートにおける前記前側剥離部及び前記後側剥離部の間の前後方向長さが、前記前側剥離部及び前記後側剥離部の間の前後方向間隔よりも長く、
前記剥離シートにおける前記前側剥離部及び後側剥離部を剥離せずに、前記中間剥離部を剥離して、前記前側剥離部及び前記後側剥離部の間の部分をパッドタイプ吸収性物品の表側に出しうる構成とした、
ことを特徴とするパッドタイプ吸収性物品。
【請求項２】
前記中間剥離部の前端及び前記前側剥離部の後端、並びに前記中間剥離部の後端及び前記後側剥離部の前端をそれぞれ繋ぐ延長部を有しており、これら延長部はズレ止め部側と反対側に延び出て前後いずれか一方側に倒伏されるか、又は前後方向に広がるように折り潰されている、請求項１記載のパッドタイプ吸収性物品。
【請求項３】
前記延長部の幅が、前記中間剥離部、前記前側剥離部及び後側剥離部よりも狭い、請求項２記載のパッドタイプ吸収性物品。
【請求項４】
前記延長部が同方向に倒伏されている、請求項２又は３記載のパッドタイプ吸収性物品。
【請求項５】
前記中間剥離部の少なくとも一方側の部分に、前記ズレ止め部の無い摘み部が形成されている、請求項２〜４のいずれか１校に記載のパッドタイプ吸収性物品。
【請求項６】
前記前側剥離部から後方に延在する第１の部分、及び前記後側剥離部から前方に延在する第２の部分を有し、かつその少なくとも一方により前記中間剥離部が形成されており、
第１の部分の後端及び第２の部分の前端を繋ぐ延長部を有しており、この延長部はズレ止め部側と反対側に延び出て前後いずれか一方側に倒伏されるか、又は前後方向に広がるように折り潰されている、
請求項１記載のパッドタイプ吸収性物品。
【発明の詳細な説明】
【技術分野】
【０００１】
本発明は、裏面にズレ止め部を備えたパッドタイプ吸収性物品に関するものである。
【背景技術】
【０００２】
尿とりパッド等のパッドタイプ使い捨ておむつや生理用ナプキン等のように、テープタイプやパンツタイプの使い捨ておむつの内面や下穿き（以下、総称してアウターともいう）の内面に配置して使用されるパッドタイプ吸収性物品は、図１３に示すように、裏面の少なくとも前後方向中間領域及びその前後両側の領域に、粘着剤やメカニカルファスナー（面ファスナー）のフック材（雄材）等からなるズレ止め部３０が設けられており、このズレ止め部３０がアウター１００内面に係止されることにより装着時のズレが防止されるものが一般的となっている（例えば特許文献１参照）。なお、図１３中の符号２００はパッドタイプ吸収性物品を示している。
【０００３】
このようなパッドタイプ吸収性物品は、製品状態ではズレ止め部が剥離シートで覆われていることが一般的であり、着用者自身又は介助者がパッドタイプ吸収性物品を装着する場合、アウターを膝近傍に位置させた状態で、パッドタイプ吸収性物品から剥離シートを取り去り、ズレ止め部全体を露出させた状態で、パッドタイプ吸収性物品をアウター内部に持ち込み、股間部を基準にアウター内面にズレ止め部を係止する、といった方法が一般的である。
【０００４】
しかしながら、このように剥離紙を全て取り除いてから下着に取付けようとすると、装着作業中のめくれや折れ曲がりが原因で、ズレ止め部同士がくっついたり、手で把持していない部分が勝手にアウター内面の意図しない位置にくっついたりすることがあった（以下、単に誤着ともいう）。
【０００５】
これを解決するものとして、特許文献２記載のように、剥離シートを股間部及びその前後両側の３つに分割しておき、アウターへの固定に際し、剥離シートを全て取り去らずに股間部のみ取り去り股間部を固定した後に、前又は後の剥離シートを順に取り去って固定することが提案されている（特許文献２参照）。しかし、前後の剥離シートを取り去る際、アウターとインナーとの間に手を入れることが必要となり、剥離作業が困難となるだけでなく、剥離の開始を剥離シートの数の分だけ行う必要があり、作業が煩雑である。また、剥離シートが複数になると、剥離シートの廃棄が煩雑となる、ごみが散らかり易い等の問題もある。
【先行技術文献】
【特許文献】
【０００６】
【特許文献１】特開２００５−２８７７９１号公報
【特許文献２】特開２００３−２１０５２４号公報
【発明の概要】
【発明が解決しようとする課題】
【０００７】
そこで、本発明の主たる課題は、剥離シートが単数で、装着作業も容易でありながら、ズレ止め部の誤着を防止できるパッドタイプ吸収性物品を提供することにある。
【課題を解決するための手段】
【０００８】
上記課題を解決した本発明は次記のとおりである。
＜請求項１記載の発明＞
裏面における前後方向中間領域及びその前後両側の領域に設けられたズレ止め部と、
このズレ止め部の全体をカバーする単一の剥離シートと、
を備えたパッドタイプ吸収性物品において、
前記剥離シートは、前記前後方向中間領域のズレ止め部を覆う中間剥離部と、前記前後両側の領域のズレ止め部をそれぞれ覆う前側剥離部及び後側剥離部と、を有するとともに、
前記剥離シートにおける前記前側剥離部及び前記後側剥離部の間の前後方向長さが、前記前側剥離部及び前記後側剥離部の間の前後方向間隔よりも長く、
前記剥離シートにおける前記前側剥離部及び後側剥離部を剥離せずに、前記中間剥離部を剥離して、前記前側剥離部及び前記後側剥離部の間の部分をパッドタイプ吸収性物品の表側に出しうる構成とした、
ことを特徴とするパッドタイプ吸収性物品。
【０００９】
（作用効果）
本発明のパッドタイプ吸収性物品を装着する際には、剥離シートにおける前側剥離部及び後側剥離部を剥離せずに、中間剥離部を剥離して、前側剥離部及び後側剥離部間の部分をパッドタイプ吸収性物品の表側に出した状態とする。このとき、前側剥離部及び後側剥離部間の部分は、前側剥離部及び後側剥離部間の部分と物品とから形成される環状体を捲り返すようにして、物品の前後端から物品の表側に回し出した状態としても、また、物品のいずれか一方の側方から物品の表側に引き出した状態としても良い。次に、この状態で、パッドタイプ吸収性物品をアウター内部に持ち込み、先ず、股間部の位置を目安にして前後方向中間領域のズレ止め部をアウター内面に係止する。このとき、前側剥離部及び後側剥離部を剥離していないため、前後両側の領域のズレ止め部が誤着することはない。この後は、パッドタイプ吸収性物品の表側に出た前側剥離部及び後側剥離部間の部分を引っ張ることにより、前側剥離部及び後側剥離部を前後方向中間側から順に剥がし、かつ順にアウター内面に係止していき、この剥離及び係止の終了とともに剥離シートを取り去り、装着作業が完了する。このように、剥離シートを取り去る際、アウターとインナーとの間に手を入れる必要がないため、剥離作業を容易かつ迅速に行うことができ、剥離シートが単数であるため廃棄が容易で、ごみが散らかることもない。
【００１０】
＜請求項２記載の発明＞
前記中間剥離部の前端及び前記前側剥離部の後端、並びに前記中間剥離部の後端及び前記後側剥離部の前端をそれぞれ繋ぐ延長部を有しており、これら延長部はズレ止め部側と反対側に延び出て前後いずれか一方側に倒伏されるか、又は前後方向に広がるように折り潰されている、請求項１記載のパッドタイプ吸収性物品。
【００１１】
（作用効果）
このような延長部を有する構造を採用することにより、装着の際に、中間剥離部を剥離して延長部を展開することにより、剥離シートにおける前側剥離部及び後側剥離部の間の前後方向長さを、前側剥離部及び後側剥離部の間の前後方向間隔よりも格段に長くすることができ、前側剥離部及び後側剥離部間の部分をパッドタイプ吸収性物品の表側に大きく出すことができ、またその作業も容易となる。
【００１２】
＜請求項３記載の発明＞
前記延長部の幅が、前記中間剥離部、前記前側剥離部及び後側剥離部よりも狭い、請求項２記載のパッドタイプ吸収性物品。
【００１３】
（作用効果）
このように、前述の延長部を有する形態で延長部の幅を狭くすることにより、前側剥離部及び後側剥離部間の部分と物品とから形成される環状体を捲り返すようにして、前側剥離部及び後側剥離部間の部分を物品の前後端から物品の表側に回し出す際、取り回しが容易となる。なお、前述の延長部を有する形態では、延長部はズレ止め部を被覆する機能を有しなくても良いため、このように幅を狭くすることが可能となる。
【００１４】
＜請求項４記載の発明＞
前記延長部が同方向に倒伏されている、請求項２又は３記載のパッドタイプ吸収性物品。
【００１５】
（作用効果）
前述の延長部を有する形態では、延長部をともに前後いずれか一方に倒伏することにより、中央側の倒伏部分のシート間に指を入れ、指を倒伏方向に移動しながら剥離を行うと、一続きの動作（ワンアクション）で、中間剥離部を剥離するとともに前側剥離部及び後側剥離部間の部分を展開することができるようになる。
【００１６】
＜請求項５記載の発明＞
前記中間剥離部の少なくとも一方側の部分に、前記ズレ止め部の無い摘み部が形成されている、請求項２〜４のいずれか１校に記載のパッドタイプ吸収性物品。
【００１７】
（作用効果）
このような摘み部を形成することにより、中間剥離部の剥離の開始を容易に行うことができるようになり、その結果として、中間剥離部を摘まんで引っ張るだけの一続きの動作（ワンアクション）で、中間剥離部を剥離するとともに前側剥離部及び後側剥離部間の部分を展開することができるようになる。
【００１８】
＜請求項６記載の発明＞
前記前側剥離部から後方に延在する第１の部分、及び前記後側剥離部から前方に延在する第２の部分を有し、かつその少なくとも一方により前記中間剥離部が形成されており、
第１の部分の後端及び第２の部分の前端を繋ぐ延長部を有しており、この延長部はズレ止め部側と反対側に延び出て前後いずれか一方側に倒伏されるか、又は前後方向に広がるように折り潰されている、
請求項１記載のパッドタイプ吸収性物品。
【００１９】
（作用効果）
このような構造で、中間剥離部及び延長部を形成すると、延長部の数が一つになるため、倒伏方向等に関係なく、延長部のシート間に指を入れ引っ張るだけの一続きの動作（ワンアクション）で、中間剥離部を剥離するとともに前側剥離部及び後側剥離部間の部分を展開することができるようになる。
【発明の効果】
【００２０】
以上の通り本発明によれば、剥離シートが単数で、装着作業も容易でありながら、ズレ止め部の誤着を防止できるようになる、等の利点がもたらされる。
【図面の簡単な説明】
【００２１】
【図１】パッドタイプ吸収性物品の展開状態の表面側を示す平面図である。
【図２】パッドタイプ吸収性物品の展開状態の裏面側を示す斜視図である。
【図３】図１のＡ−Ａ断面図である。
【図４】図１のＢ−Ｂ断面図である。
【図５】（ａ）中間剥離部を剥離する前の状態、（ｂ）剥離後の状態をそれぞれ示す、図１のＣ−Ｃ断面図である。
【図６】パッドタイプ吸収性物品の装着要領を概略的に示す斜視図である。
【図７】パッドタイプ吸収性物品の装着要領を概略的に示す縦断面図である。
【図８】パッドタイプ吸収性物品の展開状態の裏面側を示す斜視図である。
【図９】他の形態の（ａ）中間剥離部を剥離する前の状態、（ｂ）剥離後の状態をそれぞれ示す断面図である。
【図１０】他の形態の展開状態の裏面側を示す平面図である。
【図１１】他の形態の（ａ）中間剥離部を剥離する前の状態、（ｂ）剥離後の状態をそれぞれ示す断面図である。
【図１２】他の形態の展開状態の裏面側を示す平面図である。
【図１３】従来のパッドタイプ吸収性物品の装着要領を概略的に示す斜視図である。
【発明を実施するための形態】
【００２２】
以下、本発明の一実施形態について添付図面を参照しつつ説明する。
（第１の形態）
図１〜図７は、パッドタイプ吸収性物品２００を示している。このパッドタイプ吸収性物品２００は、使い捨ておむつ１や布の下着等のアウターの内面に敷いて使用されることを想定したものであり、股間部Ｃ、その前後両側に延在する腹側部分Ｆ及び背側部分Ｂを有するものである。なお、吸収パッドにおける「股間部」とは使用時に身体の股間と対応させる部分を意味し、殆ど多くの製品では前後方向中央部及びその前後近傍の部分である。
【００２３】
各部の寸法は適宜定めることができ、例えば成人向け製品の場合、物品全長Ｌ（前後方向長さ）は４５０〜６３０ｍｍ程度、物品全幅Ｗは１３５〜３２０ｍｍ程度とすることができ、この場合における股間部Ｃの前後方向長さは１５０〜１８０ｍｍ程度、腹側部分Ｆの前後方向長さは１２０〜２００ｍｍ程度、及び背側部分Ｂの前後方向長さは１８０〜２８０ｍｍ程度とすることができる。
【００２４】
パッドタイプ吸収性物品２００は、液不透過性シート２１の内面と、透液性トップシート２２との間に、吸収体２３が介在された基本構造を有している。吸収体２３としては、パルプ繊維の積繊体、セルロースアセテート等のフィラメントの集合体、あるいは不織布を基本とし、必要に応じて高吸収性ポリマーを混合、固着等してなるものを用いることができる。必要に応じて、吸収体２３はクレープ紙（図示せず）により包むことができる。また、吸収体２３の形状は、相対的に前側の部分が後側の部分よりも幅広な帯状、あるいは長方形状、砂時計状等、適宜の形状とすることができる。吸収体２３における繊維目付け及び吸収性ポリマーの目付けは適宜定めることができるが、繊維目付けは２００〜６００ｇ／ｍ2程度とするのが好ましく、また吸収性ポリマーの目付けは１００〜３００ｇ／ｍ2程度とするのが好ましい。
【００２５】
吸収体２３の裏側には、液不透過性シート２１が吸収体２３の周縁より所定長さ食み出すように設けられている。液不透過性シート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。
【００２６】
液不透過性シート２１の外面（裏面）は、不織布等からなる外装シートにより覆うことができる。
【００２７】
吸収体２３の表側は、透液性トップシート２２により覆われている。図示形態ではトップシート２２の側縁から吸収体２３が一部食み出しているが、吸収体２３の側縁が食み出さないようにトップシート２２の幅を広げることもできる。トップシート２２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００２８】
パッドタイプ吸収性物品２００の前後方向両端部では、液不透過性シート２１および透液性トップシート２２が吸収体２３の前後端よりも前後両側にそれぞれ延在されて貼り合わされ、吸収体２３の存在しないエンドフラップ部ＥＦが形成されている。
【００２９】
パッドタイプ吸収性物品２００の両側部では、液不透過性シート２１が吸収体２３の側縁よりも外側にそれぞれ延在され、この延在部からトップシート２２の側部までの部分の内面にはギャザーシート２４の幅方向外側の部分２４ｘが前後方向全体にわたり貼り付けられ、吸収体２３の存在しないサイドフラップ部ＳＦを構成している。これらを含め、素材の貼り合わせ部分は、ホットメルト接着剤、ヒートシール、超音波シールにより形成でき、平面図では斜線模様、断面図では点模様で示されている。
【００３０】
これらエンドフラップ部ＥＦ及びサイドフラップ部ＳＦ以外の吸収体介在部分が、排泄物を保持する本体部ＢＤを構成する。
【００３１】
ギャザーシート２４の素材としては、プラスチックシートやメルトブローン不織布を使用することもできるが、肌への感触性の点で、不織布にシリコンなどにより撥水処理をしたものが好適に使用される。
【００３２】
ギャザーシート２４の幅方向中央側の部分２４ｃはトップシート２２上にまで延在しており、その幅方向中央側の端部には、細長状弾性部材２４Ｇが前後方向に沿って伸張状態でホットメルト接着剤等により固定されている。この細長状弾性部材２４Ｇとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００３３】
両ギャザーシート２４，２４は、幅方向外側の部分２４ｘが前後方向全体にわたり物品内面（図示形態ではトップシート２２表面および液不透過性シート２１内面）に貼り合わされて固定されるとともに、幅方向中央側の部分２４ｃが、前後方向の両端部では物品内面（図示形態ではトップシート２２表面）に貼り合わされて固定され、かつ前後方向の両端部の間では物品内面（図示形態ではトップシート２２表面）に固定されていない。この非固定部分は、図４に示されるように、物品内面（図示形態ではトップシート２２表面）に対して起立可能な立体ギャザーとなる部分であり、その起立基端２４ｂはギャザーシート２４における幅方向外側の固定部分２４ｘと内側の部分２４ｃとの境に位置する。
【００３４】
図２、図３および図５に示すように、パッドタイプ吸収性物品２００の裏面には、粘着剤層からなるズレ止め部３０が設けられている。このズレ止め部３０としては、フック状突起を多数有するフックテープを貼り付けることにより形成することも可能である。フック状突起の形状としてはキノコ状の他、フック状、レ字状、Ｊ字状、Ｔ字状、ダブルＪ字状（Ｊ字状のものを背合わせに結合した形状のもの）等が存在するが、いずれの形状であっても良い。なお、フックテープはホットメルト接着剤等により取り付けることができる。
【００３５】
ズレ止め部３０は、裏面における前後方向中間領域Ｃ１及びその前後両側の領域Ｆ１，Ｂ１に設けられる限り、図２等に示すように、前端部から後端部にわたり連続する帯状のズレ止め部３０を幅方向に複数本設けたり、幅の広いものを一本（図示略）設けたりする他、図１２に示すように、前後方向中間領域Ｃ１及びその前後両側の領域Ｆ１，Ｂ１の各々に、矩形状等の適宜形状のズレ止め部３０を互いに間隔を空けて設けたり、図１０に示すように、前後方向中間領域Ｃ１では幅方向中央部のみとし、前後両側の領域Ｆ１，Ｂ１では幅方向両側部に帯状のズレ止め部３０を追加したりすることもできる。
【００３６】
ここで、前後方向中間領域Ｃ１は適宜定めることができるが、前述の股間部Ｃの少なくとも一部の前後方向範囲を含むことが望ましい。具体的には、前後方向中間領域Ｃ１は、前述の股間部Ｃと同じ前後方向範囲、前述の股間部Ｃの前後方向範囲の一部、又は前述の股間部Ｃを含むより広い前後方向範囲とすることが望ましい。なお、いうまでもないが、前後方向中間領域Ｃ１の前後両側の領域Ｆ１，Ｂ１は、前後方向中間領域Ｃ１の前端から物品２００の前端までの範囲、及び前後方向中間領域Ｃ１の後端から物品２００の後端までの範囲をそれぞれ意味する。
【００３７】
ズレ止め部３０は、その全体が本体部ＢＤの範囲内に収まるような寸法及び配置となっているのが好ましいが、製品長の全体にわたり設ける等、本体部ＢＤの範囲外に設けることもできる。具体的には、ズレ止め部３０を有する領域の幅Ｗ３は吸収体２３の幅Ｗ２の３０〜８０％程度、ズレ止め部３０を有する領域の前後方向長さＬ３（前後方向に複数設ける場合は総長さ）は吸収体２３の全長Ｌ２の８０〜１００％程度であるのが好ましい。
【００３８】
ズレ止め部３０は、単一の剥離シート３１により剥離可能に被覆されており、使用時に剥離シート３１を剥離することにより露出するようになっている。剥離シート３１としては、ズレ止め部３０が粘着剤層の場合には、必要に応じてズレ止め部３０側の面に剥離剤を塗布した紙やフィルム、不織布等を用いることができ、ズレ止め部３０がフック材の場合には不織布やメカニカルファスナー（面ファスナー）のループ材（雌材）や、不織布等を用いることができる。剥離シート３１は、一枚の素材で構成する他、一体として剥離可能である限り複数の部材を連結して構成することもできる。剥離シート３１の寸法は、ズレ止め部３０全体を被覆しうる限り特に限定されない。
【００３９】
特徴的には、剥離シート３１は、前後方向中間領域Ｃ１のズレ止め部３０ｃを覆う中間剥離部３１ｃと、前後両側の領域Ｆ１，Ｂ１のズレ止め部３０ｆ，３０ｂをそれぞれ覆う前側剥離部３１ｆ及び後側剥離部３１ｂと、を有している。また、図１〜図７に示す形態では、中間剥離部３１ｃの前端及び前側剥離部３１ｆの後端、並びに中間剥離部３１ｃの後端及び後側剥離部３１ｂの前端をそれぞれ繋ぐ延長部３１ｘを有しており、これら延長部３１ｘはズレ止め部３０側と反対側に延び出て、前側の延長部３１ｘは前側に、後側の延長部３１ｘは後側にそれぞれ倒伏されている。これら延長部３１ｘは、図９に示すように同方向に倒伏させたり、後述する図１１に示す例に倣って前後方向に広がるように折り潰したりしても良い。
【００４０】
このような延長部３１ｘを有することにより、剥離シート３１における前側剥離部３１ｆ及び後側剥離部３１ｂの間の前後方向長さが、前側剥離部３１ｆ及び後側剥離部３１ｂの間の前後方向間隔よりも長くなり、かつ剥離シート３１における前側剥離部３１ｆ及び後側剥離部３１ｂを剥離せずに、中間剥離部３１ｃを剥離して、前側剥離部３１ｆ及び後側剥離部３１ｂの間の部分をパッドタイプ吸収性物品２００の表側に出しうるものとなる。特に、図示形態の場合、中間剥離部３１ｃを剥離して延長部３１ｘを展開することにより、剥離シート３１における前側剥離部３１ｆ及び後側剥離部３１ｂの間の前後方向長さを、前側剥離部３１ｆ及び後側剥離部３１ｂの間の前後方向間隔よりも格段に長くすることができ、前側剥離部３１ｆ及び後側剥離部３１ｂ間の部分をパッドタイプ吸収性物品２００の表側に大きく出すことができ、またその作業も容易となる。前側剥離部３１ｆ及び後側剥離部３１ｂの間の部分をパッドタイプ吸収性物品２００の表側に出しうる限り、延長部３１ｘの寸法は適宜定めることができるが、剥離シート３１における前側剥離部３１ｆ及び後側剥離部３１ｂの間の部分３１Ｌの展開状態での前後方向長さが、物品全長Ｌの１倍超とすることが好ましく、１．５倍以上とすることが特に好ましい。延長部３１ｘの折り返し回数を複数回とすることにより延長部３１ｘの長さを長くし、それによって、剥離シート３１における前側剥離部３１ｆ及び後側剥離部３１ｂの間の部分３１Ｌの展開状態での前後方向長さを長くすることができる。
【００４１】
延長部３１ｘを倒伏又は折り潰す場合、使用前の段階で誤って展開しないように、前後方向の端部を対向面に仮止め（剥離可能に固定）することが望ましい。この仮止めの手段としては、図示例のような粘着剤４０を用いる他、ヒートシールや超音波シール等の溶着手段を用いることができる。
【００４２】
本パッドタイプ吸収性物品２００を装着する際には、図５（ｂ）に示すように、剥離シート３１における前側剥離部３１ｆ及び後側剥離部３１ｂを剥離せずに、中間剥離部３１ｃを剥離して、図６に示すように、前側剥離部３１ｆ及び後側剥離部３１ｂ間の部分をパッドタイプ吸収性物品２００の表側に出した状態とする。図示例では、前側剥離部３１ｆ及び後側剥離部３１ｂ間の部分３１Ｌは、前側剥離部３１ｆ及び後側剥離部３１ｂ間の部分３１Ｌと物品２００とから形成される環状体を捲り返すようにして、物品の前後端から物品２００の表側に回し出した状態としているが、物品２００のいずれか一方の側方から物品２００の表側に引き出した状態としても良い（図示略）。次に、この状態で、図６に二点鎖線で示すように、パッドタイプ吸収性物品２００をアウター１００内部に持ち込み、先ず、図７（ａ）に示すように、股間部Ｃの位置を目安にして前後方向中間領域Ｃ１のズレ止め部３０ｃをアウター１００内面に係止する。このとき、前側剥離部３１ｆ及び後側剥離部３１ｂを剥離していないため、前後両側の領域Ｆ１，Ｂ１のズレ止め部３０ｆ，３０ｂが誤着することはない。この後は、図７（ｂ）に示すように、パッドタイプ吸収性物品２００の表側に出た前側剥離部３１ｆ及び後側剥離部３１ｂ間の部分３１Ｌを引っ張ることにより、前側剥離部３１ｆ及び後側剥離部３１ｂを前後方向中間側から順に剥がし、かつ順にアウター１００内面に係止していき、この剥離及び係止の終了とともに剥離シート３１を取り去り、装着作業が完了する。このように、剥離シート３１を取り去る際、アウター１００とインナーとの間に手を入れる必要がないため、剥離作業を容易かつ迅速に行うことができ、剥離シート３１が単数であるため廃棄が容易で、ごみが散らかることもない。
【００４３】
前述のように、前側剥離部３１ｆ及び後側剥離部３１ｂ間の部分３１Ｌと物品とから形成される環状体を捲り返すようにして、前側剥離部３１ｆ及び後側剥離部３１ｂ間の部分３１Ｌを物品の前後端から物品の表側に回し出す際、図８に示すように、延長部３１ｘの幅が、中間剥離部３１ｃ、前側剥離部３１ｆ及び後側剥離部３１ｂよりも狭く構成されていると、取り回しが容易となるため好ましい。なお、前述の延長部３１ｘを有する形態では、延長部３１ｘはズレ止め部３０を被覆する機能を有しなくても良いため、このように幅を狭くすることが可能となる。
【００４４】
また、図９に示すように、延長部をともに前後いずれか一方に倒伏（つまり同方向に倒伏）することにより、中央側の倒伏部分のシート間に指を入れ、白抜き矢印で図示するように指を倒伏方向に移動しながら剥離を行うと、一続きの動作（ワンアクション）で、中間剥離部を剥離するとともに前側剥離部及び後側剥離部間の部分３１Ｌを展開することができるようになるため好ましい。なお、図９（ａ）の状態から図９（ｂ）の状態になった後、図５（ｂ）の状態に変化することになる。
【００４５】
他の方法としては、図２及び図４に示すように、中間剥離部３１ｃの側部に、ズレ止め部３０の無い摘み部３１ｎを形成しておき、この摘み部３１ｎを摘まんで中間剥離部３１ｃから剥離を開始するのも好ましい。これにより、中間剥離部３１ｃを摘まんで引っ張るだけの一続きの動作（ワンアクション）で、中間剥離部３１ｃを剥離するとともに前側剥離部３１ｆ及び後側剥離部３１ｂ間の部分３１Ｌを展開することができるようになる。なお、この作業をより容易にするために、図１０に示すズレ止め部３０の形態とするのも好ましい。
【００４６】
さらに、中間剥離部３１ｃ及び延長部３１ｘの形成構造を図１１及び図１２に示すように変更するのも好ましい一つの好ましい形態である。すなわち、この形態は、前側剥離部３１ｆから後方に延在する第１の部分５１、及び後側剥離部３１ｂから前方に延在する第２の部分５２を有し、かつ両者が中間剥離部３１ｃ上でほぼ突き合わさり、第１の部分５１の後側及び第２の部分５２の前側により中間剥離部３１ｃが形成されており、また、第１の部分５１の後端及び第２の部分５２の前端を繋ぐ延長部３１ｘを有しており、この延長部３１ｘはズレ止め部３０側と反対側に延び出て前後方向に広がるように折り潰されているものである。図示しないが、延長部３１ｘは前後いずれか一方側に倒伏しても良い。また、第１の部分５１及び第２の部分５２のいずれか一方のみで中間剥離部３１ｃを形成しても良い。さらに、第１の部分５１及び第２の部分５２は突き合わさらず、ある程度離間していても良い。
【００４７】
図１１及び図１２に示す構造で、中間剥離部３１ｃ及び延長部３１ｘを形成すると、延長部３１ｘの数が一つになるため、倒伏方向等に関係なく、延長部３１ｘのシート間に指を入れ引っ張るだけの一続きの動作（ワンアクション）で、図１１に示すように、中間剥離部３１ｃを剥離するとともに前側剥離部３１ｆ及び後側剥離部３１ｂ間の部分３１Ｌを展開することができるようになる。
【００４８】
なお、図１１、図１２の形態でも、図２や図１０の連続接着パターンが採用できることはいうまでもない。その他は前述の図１〜図７に示す形態と同様であるため、敢えて説明を省略する。
【産業上の利用可能性】
【００４９】
本発明は、パッドタイプ吸収性物品である限り、尿とりパッド等のパッドタイプ使い捨ておむつの他、生理用ナプキンにも利用可能である。
【符号の説明】
【００５０】
２１…液不透過性シート、２２…透液性トップシート、２３…吸収体、２４…ギャザーシート、３０…ズレ止め部、３１…剥離シート、１００…アウター、２００…パッドタイプ吸収性物品、Ｃ１…前後方向中間領域、Ｆ１，Ｂ１…前後両側の領域、Ｃ…股間部、Ｆ…腹側部分、Ｂ…背側部分、３１ｃ…中間剥離部、３１ｆ…前側剥離部、３１ｂ…後側剥離部、３１ｘ…延長部、４０…粘着剤、３１ｎ…摘み部。
【図１】
2014193206.tif 000003
【図２】
2014193206.tif 000004
【図３】
2014193206.tif 000005
【図４】
2014193206.tif 000006
【図５】
2014193206.tif 000007
【図６】
2014193206.tif 000008
【図７】
2014193206.tif 000009
【図８】
2014193206.tif 000010
【図９】
2014193206.tif 000011
【図１０】
2014193206.tif 000012
【図１１】
2014193206.tif 000013
【図１２】
2014193206.tif 000014
【図１３】
2014193206.tif 000015